(57)【要約】【課題】トラクタに装着する代掻き装置の整地体を均平作業と土寄せ作業を選択可能に構成し、土寄せする土量を調整できるようにする。【解決手段】トラクタに装着される装着マストを有する機枠体、機枠体に設けられる砕土ロータリ、砕土ロータリの上方を覆うロータリカバー体とを有する砕土作業部を有する代掻き装置である。この砕土作業部の後方に配設され機枠体に伸縮装置により上下方向回動自在に設けられる整地体と、整地体はリヤカバーと土寄せ整地板を設けるとともに、伸縮装置野伸縮作用によって整地体の整地深度を任意に設定可能とし、かつ伸縮装置と整地体のリフト部との間にロック装置を設けて伸縮装置と第１整地体との連係を係脱自在とし、トラクタ座席より操作可能とした構成であり、整地体の土寄せ整地板の水田面に対する高さ（深さ）位置を任意に選択し、固定、係合することで、土寄せ作業をトラクタを走行しながら可能になったものである。【選択図】      図５
2004290085.tif 000002
【特許請求の範囲】
【請求項１】
トラクタに装着される装着マストを有する機枠体、機枠体に設けられる砕土ロータリ、砕土ロータリの上方を覆うロータリカバー体とを有する砕土作業部を有する代掻き装置において、砕土作業部の後方に配設され機枠体に伸縮装置により上下方向回動自在に設けられる整地体と、整地体はリヤカバーと土寄せ整地板を設けるとともに、伸縮装置の伸縮作用によって整地体の整地深度を任意に設定可能とし、かつ伸縮装置と整地体のリフト部との間にロック装置を設けて伸縮装置と整地体との連係を係脱自在とし、トラクタ座席より操作可能としたことを特徴とする代掻き装置。
【請求項２】
伸縮装置は油圧シリンダ又は電動シリンダからなる請求項１記載の代掻き装置。
【発明の詳細な説明】
【０００１】
【発明の属する技術分野】
この発明は、代掻き装置、トラクタに装着され水田の代掻き作業と水田における凹凸面の均平化を行う均平作業と、凹部凸部等対する土寄せ作業とを選択的に行うことが可能な代掻き装置に関する。
【０００２】
【従来の技術】
従来技術としては、特開２００２−７８４０２号公報の「代掻き均平装置」が公知である。すなわち「トラクターに装着され、砕土部と、整地部を有するロータリー代掻き装置の後方に、ロータリー代掻き装置に対して高さ位置が調節自在である排土板を設けてなることを特徴とする代掻き均平装置」及び「トラクターに装着され、砕土部と、整地部を有するロータリー代掻き装置の後方に、ロータリー代掻き装置に対して高さ位置が調節自在である排土板を設け、排土板にレーキ体および均平板を設けてなることを特徴とする代掻き均平装置」及び「トラクターに装着され、砕土部と、整地部を有するロータリー代掻き装置の後方に、ロータリー代掻き装置に対して高さ位置が調節自在である排土板を設け、排土板にレーキ体および均平板を設け、かつレーザー受光器を設けるとともに排土板の高さ調節をレーザー投光器からのレーザー光線をレーザー受光器が受光することによって行うことを特徴とする代掻き均平装置」に関する技術が公開されている。
【０００３】
前記の構成により、「レーキ体、均平板を有した排土板の高さ位置を、ロータリー代掻き装置に対して高くあるいは低く独立的に調節することが可能なため、それぞれ状態の異なる水田に迅速かつ均平精度の高い対応ができる」効果、更に「レーザー受光器及びレーザー投光器等によって自動的に排土板等の高さ位置を制御して調節することにより、作業効率が向上し、また均平性能も向上する」という様々な効果を有している。
【０００４】
【発明が解決しようとする課題】
しかしながら、従来技術では、代掻き作業と別体の排土板による土寄せ作業を同時に行うことは可能であったが、圃場にレーザー投光器の設備が必要になり、代掻き装置にもレーザー受光器が必要なため、設備装置を含めて代掻き装置が大型化し、価格が高価格になってしまう課題があった。
【０００５】
【課題を解決するための手段】
課題を解決するために、トラクタに装着される装着マストを有する機枠体、機枠体に設けられる砕土ロータリ、砕土ロータリの上方を覆うロータリカバー体とを有する砕土作業部を有する代掻き装置において、砕土作業部の後方に配設され機枠体に伸縮装置により上下方向回動自在に設けられる整地体と、整地体はリヤカバーと土寄せ整地板を設けるとともに、伸縮装置野伸縮作用によって整地体の整地深度を任意に設定可能とし、かつ伸縮装置と整地体のリフト部との間にロック装置を設けて伸縮装置と第１整地体との連係を係脱自在とし、トラクタ座席より操作可能としたことを特徴とする代掻き装置を提案する。
【０００６】
【発明の実施の形態】
以下、本発明の実施の形態を図面に基づいて説明する。図１はこの発明の１つの実施形態を示す代掻き装置の平面図、図２は同じく後面図、図３は同じく側面図、図４は図２のＡＡ線断面図、図５は同じくロータリ代掻き装置を後方から見た斜視図、図６は同じくロック装置付近の拡大平面図、図７は同じくロック装置が整地体のリフトアームとの連係を解除した状態を示す一部切欠側面図、図８は同じく伸縮装置の作用を示す側面説明図、図９は同じく整地体をフリー状態にして作業する作業側面図である。
【０００７】
この発明の１つの実施形態を示す代掻装置は、図示しないトラクタの後方位置に装着マスト２０によって装着され、平面視中央の装着マスト２０から左右水平方向に配設される機枠体２と、機枠体２に支持され砕土ロータリ１０と、砕土ロータリ１０の上方を覆うロータリカバー体１１とを有する砕土作業部１を有する。機枠体２は、左右の一端に伝動ケース２１、他端に機枠サイド板２２をそれぞれ備えている。
【０００８】
砕土作業部１の後方に配設され機枠体２に伸縮装置５によって上下方向回動自在に設けられる整地体３と、整地体３の後方に機枠体２に回動可能に設けられる均平整地体４とを有する。
【０００９】
整地体３は、上辺がロータリカバー体１１の後端縁に横軸３２によって上下に回動自在に設けられ、リヤカバー３０と、土寄せ整地板３１とを備えている。土寄せ整地板３１は、断面Ｌ字形状で垂直面で土寄せ、土引き作用を行うことができ、接地底面で整地作用を行うことができる。整地体３のリヤカバー３０と土寄せ整地板３１は、それぞれ左右両端で側枠体３４に固定され、互いにほぼ平行に間隔をあけて取り付けられる。
【００１０】
整地体３は、砕土作業部の後方に配設され機枠体２にリフト部３５を介して取り付けられ伸縮装置５により機枠体２に対して上下方向回動自在に設けられる。リフト部３５は、リフトアーム３５０と第１支持アーム３５１と水平リフトアーム３５２とからなる。リフトアーム３５０は、機枠体２の左右対称位置に２本それぞれ機枠体２に対して回動自在に設けられる。第１支持アーム３５１は、上端部でリフトアーム３５０の自由端と回動自在に取り付けられ、下端部でリヤカバー３０の上面に回動自在に取り付けられ垂直方向に設けられている。水平リフトアーム３５２は、水平方向に設けられて左右のリフトアーム３５０を水平方向で連結しており、中央部に平行にロックピン３５３を設けてロックピン３５３はロック装置６の係合凹部６００に係合可能である。
【００１１】
伸縮装置５は、この実施形態では油圧シリンダ又は電動シリンダからなるシリンダ装置５である。シリンダ装置５は、一端を装着マスト２０の側部に設けられるシリンダブラケット５２に回動自在に装着しており、シリンダロッド５０の先端部側にロック装置６を設けている。
【００１２】
ロック装置６は、シリンダアーム５１の先端に固定されて設けられており、シリンダアーム５１の基端は装着マスト２０の側部に設けられているシリンダブラケット５２に回動自在に取り付けられている。ロック装置６は、シリンダロッド５０の先端部に回動自在に連結するロック体６１、ロック体６１に巻きバネ６６によって下部より進行方向後部へ回動する方向（トラクタ進行方向右側面視で時計回り方向）に付勢されつつ回動自在に取り付けられ係合凹部６００を有する三角板状の係合体６０、係合体６０の係合突起６０１に長孔６２０で係合するロックリンク６２、ロックリンク６２の長孔６２０と反対端部で回動自在に連結する三角板状のロックリンクプレート６３、ロックリンクプレート６３の一端に回動自在に連結するロックアーム６４、ロックアーム６４を長手方向へ移動させるように連結したロックレバー６５からなる。尚、ロックリンク６２に直接に電動シリンダを介在させて三角板状の係合体６０を回動させると、ロックレバー６５は不要となり、トラクタ座席から遠隔操作ができる。
【００１３】
装着マスト２０の側部に設けたシリンダブラケット５２と、シリンダ装置５と、シリンダアーム５１及びシリンダアーム５１の先端部に固定されて連結するロック装置６のロック体６１との３つの連結部は、それぞれ回動自在に連結されている。そして、シリンダブラケット５２を底辺として、シリンダ装置５とシリンダアーム５１及びシリンダアーム５１の先端部に固定されて連結するロック装置６のロック体６１とを両辺とし、シリンダロッド５０の先端と回動自在に連結するロック体６１との回動角を先端角とする不定三角形状のリンク機構を構成する。この不定三角形状のリンク機構は、シリンダ装置５のシリンダロッド５０の伸縮作用により先端角が移動し、ロック装置６が上下に移動する。この移動によりロック装置６に係止している整地体３を上下回動させることができる。
【００１４】
均平整地体４の第２整地板４０は、整地体３の後方に機枠体２の左右両側の第２サイドアーム４１と、中央部の左右にある第２支持アーム４２を介して回動可能に設けられる。第２整地板４０は、機枠体２に対して自重により回動自在に作用しており、自重により水田面に接地して均平作用を行う。
【００１５】
次に、この発明の実施形態の作用について説明する。整地体３のリヤカバー３０及び土寄せ整地板３１は、リフト部３５とロック装置６を介してシリンダ装置（伸縮装置）５によって機枠体２に対して上下方向に回動自在である。又、均平整地体４の第２整地板４０は、第２サイドアーム４１と第２支持アーム４２によって機枠体２に対して自重により上下方向に回動し水田面に接地している。
【００１６】
整地体３の土寄せ整地板３１は、リフト部３５のロックピン３５３をロック装置６の係合凹部６００に係脱することにより土寄せ整地板３１の深度を選択可能な状態として、土寄せ作業を行える状態と自重により水田面に接地させ均平作業を行える状態の作業状態を任意に選択可能である。すなわち、図３乃至図６に示すようにロックピン３５３を、ロック装置６の係合凹部６００に係止させて土寄せ整地板３１がシリンダ装置５によって均平作業の深度を選択可能な状態とするか、又は図７乃至図９に示すようにロックピン３５３を、係合凹部６００から離脱されて土寄せ整地板３１がフリー状態の作業状態となり自重で水田面に接地して均平作業を可能とするかを任意に選択可能である。
【００１７】
ロック装置６のロックレバー６５は、トラクタ運転席近傍に立設されており、ロックレバー６５を、図７に示すように係合凹部６００にロックピン３５３が係合しているほぼ垂直方向に立っている位置（実線位置）からトラクタ前方向に斜めに引く（二点鎖線位置）ことで、巻きバネ６６に付勢されている係合体６０をロック体６１に対して、トラクタ右側面視で反時計回り方向（後部から下部方向）に回動させて、係合凹部６００からロックピン３５３の係合を離脱される。すなわち、ロックレバー６５は、ロックアーム６４、ロックリンクプレート６３、ロックリンク６２と連結しており、ロックレバー６５のトラクタ前方向への回動により、ロックリンク６２が引かれ長孔６２０に係合する係合突起６０１を引いて係合体６０を巻きバネ６６の付勢力に抗して反時計回りに回動させる。
【００１８】
その後、図８及び図９に示すようにシリンダ装置５のシリンダロッド５０を短縮させることにより、ロック装置６を上昇させて、整地体３がフリー状態で上下動した場合でも、ロックピン３５３がロック装置６に当接しない状態にし、整地体３をフリー状態にして代掻き均平作業を行う（図１０）。
【００１９】
また、逆にロック装置６にロックピン３５３を係合させる場合は、シリンダ装置５のシリンダロッド５０を伸張させ、予め係合凹部６００をロックピン３５３近傍へ位置させた後、ロックレバー６５をトラクタ前方向の斜め位置から、垂直方向へ回動させて、係合突起６０１を長孔６２０から開放させ係合体６０を巻きバネ６６の付勢力の方向に回動させる。係合体６０の回動によって係合凹部６００がロックピン３５３を掬い上げるようにして係合する。この係合状態は、巻きバネ６６に付勢力により安定する。
【００２０】
土寄せ整地板３１は、ロック装置６の係合凹部６００に係合しシリンダ装置５と連係している状態では、シリンダ装置５の伸縮作用によりリヤカバー３０及び土寄せ整地板３１の水田面に対する深度調節が可能となり、土寄せ作業の土寄せ量を調整すること可能になる。すなわち、トラクタ座席からの指示によりシリンダ装置５のシリンダロッド５０を伸張させると、前記リンク機構の作用により土寄せ整地板３１は、深度を深くし、土寄せ量が多くなる。反対に、シリンダ装置５のシリンダロッド５０を短縮させると、前記リンク機構の作用により土寄せ整地板３１は、深度を浅くし、土寄せ量を少なくする。
【００２１】
この状態で砕土作業部１、整地体３、均平整地体４による代掻き均平作業と同時に、整地体３の土寄せ整地板３１による土寄せ作業を行うことができる。そして、土寄せ作業において、土寄せ量が多すぎた場合でも、トラクタの進行力により削られた土は、トラクタ進行力と整地体３の後方に位置する均平整地体４により直ぐに整地される。
【００２２】
【発明の効果】
この発明によれば、整地体の土寄せ整地板の水田面に対する高さ（深さ）位置を任意に選択し固定することで、代掻き均平作業と土寄せ作業をトラクタを走行しながら行うことが可能となった。
【００２３】
そのため、水田面に凹部があっても、整地体の土寄せ整地板により凹部に対して土寄せ作業を行い凹部を埋め戻しつつ均平作業が同時に行えるため、作業効率が向上した。また、土寄せ整地板を自重により回動できるようにフリー状態にすることにより代掻き均平作業も可能である。
【００２４】
整地体の土寄せ整地板の水田面に対する高さ位置を任意に調節可能としたので、土引き量の調節が可能となった。この調節も伸縮装置の操作によりトラクタ運転席より容易に操作ができる。
【００２５】
更にまた、整地体と伸縮装置が連係離脱自在の構成であるため、土引き作業の必要のない水田等では、連係を離脱させて、整地体の土寄せ整地板をフリー状態にして自重により通常の代掻き均平作業を行うことが可能である。この連係の係止及び離脱は、トラクタ運転席により容易に切り替え操作ができる。
【図面の簡単な説明】
【図１】この発明の１つの実施形態を示す代掻き装置の平面図
【図２】同じく後面図
【図３】同じく側面図
【図４】図２のＡＡ線断面図
【図５】同じくロータリ代掻き装置を後方から見た斜視図
【図６】同じくロック装置付近の拡大平面図
【図７】同じくロック装置が整地体のリフトアームとの連係を解除した状態を示す一部切欠側面図
【図８】同じく伸縮装置の作用を示す側面説明図
【図９】同じく整地体をフリー状態にして作業する作業側面図
【符号の説明】
１          砕土作業部
１０      砕土ロータリ
１１      ロータリカバー体
２          機枠体
２０      装着マスト
２１      伝動ケース
２２      機枠サイド板
３          整地体
３０      リヤカバー
３１      土寄せ整地板
３２      横軸
３５      リフト部
３５０  リフトアーム
３５１  第１支持アーム
３５２  水平リフトアーム
３５３  ロックピン
４          均平整地体
４０      第２整地板
４１      第２サイドアーム
４２      第２支持アーム
５          伸縮装置（シリンダ装置）
５０      シリンダロッド
５１      シリンダアーム
５２      シリンダブラケット
６          ロック装置
６０      係合体
６００  係合凹部
６０１  係合突起
６１      ロック体
６２      ロックリンク
６２０  長孔
６３      ロックリンクプレート
６４      ロックアーム
６５      ロックレバー
６６      巻きバネ
【図１】
2004290085.tif 000003
【図２】
2004290085.tif 000004
【図３】
2004290085.tif 000005
【図４】
2004290085.tif 000006
【図５】
2004290085.tif 000007
【図６】
2004290085.tif 000008
【図７】
2004290085.tif 000009
【図８】
2004290085.tif 000010
【図９】
2004290085.tif 000011